(57)【要約】【課題】シンプルな構造で遊技者の期待を高められる演出が導入されれば、開発者にとって相対的な労力軽減となり、新機種の早期投入や開発コストの低減へと繋がる。【解決手段】ぱちんこ遊技機１０において、演出表示装置６０には当否抽選の結果を示す複数の図柄が変動表示され、パターン記憶手段１３０は変動パターンを複数保持する。パターン記憶手段１３０は、複数の停止図柄候補がシート状にマトリクス配置されて形成されるマトリクスシートデータを保持する。停止表示された一部の停止図柄の組合せがリーチ状態を形成し、リーチ状態を形成する図柄をその領域で固定したままそれ以外の残りの未停止図柄の表示領域を通じて部分的に視認できる形でマトリクスシートデータを用いたシートを表示し、シート内の複数の停止図柄候補をシートごと同時に移動させることによって表現される変動表示をする。【選択図】図３
2008161387.tif 000002
【特許請求の範囲】
【請求項１】
遊技領域が形成された遊技盤と、
前記遊技領域の所定位置に設けられ、遊技球の入球が抽選の契機となる始動入賞口と、
前記始動入賞口への入球を契機として、通常遊技より遊技者に有利な状態である特別遊技へ移行するか否かを判定するための当否抽選を実行する当否抽選手段と、
前記当否抽選の結果を示すための複数の図柄が変動表示される図柄表示装置と、
前記複数の図柄の変動表示における変動開始から停止までの変動過程が定められた変動パターンを複数保持するパターン記憶手段と、
前記図柄表示装置の表示画面において所定の有効ラインに表示する複数の停止図柄の組合せで前記当否抽選の結果を示すために前記当否抽選の結果に応じて前記複数の停止図柄の組合せを決定するとともに、前記複数の変動パターンからいずれかを選択する演出決定手段と、
前記選択された変動パターンにしたがって前記図柄表示装置に前記複数の図柄を変動表示させる表示制御手段と、
前記当否抽選の結果が当たりとなったことを示す当たり態様にて前記複数の停止図柄の組合せが表示されたときに、遊技者にとって通常遊技より有利な遊技である特別遊技を実行する特別遊技制御手段と、を備え、
前記パターン記憶手段は、複数の停止図柄候補がシート状にマトリクス配置されて形成されるマトリクスシートデータをさらに保持するとともに、前記変動パターンとして、複数の有効ラインに停止表示された一部の停止図柄の組合せが、あと一つ図柄が停止して揃えば当たり図柄組合せとなる状態であるリーチ状態を形成し、前記複数の有効ラインにおいてすでに停止図柄として確定されてリーチ状態を形成する図柄を少なくともその領域で固定したままそれ以外の残りの未停止図柄の表示領域を通じて部分的に視認できる形で前記マトリクスシートデータを用いたシートを表示し、前記シート内の複数の停止図柄候補をシートごと同時に移動させることによって表現される変動表示をし、前記シートの移動を停止させることによって前記残りの未停止図柄の表示領域に同時に停止図柄を表示させるシート変動パターンを保持することを特徴とする弾球遊技機。
【請求項２】
前記パターン記憶手段は、前記シート変動パターンとして、前記リーチ状態になってから最終的な全図柄停止状態に至るまで前記シートを図柄一つ分ずつ順次段階的に移動させることにより前記残りの未停止図柄の表示領域に停止図柄候補を順次表示させるパターンを保持することを特徴とする請求項１に記載の弾球遊技機。
【請求項３】
前記パターン記憶手段は、前記マトリクスシートデータとして、前記複数の停止図柄候補が不規則な順序で配置されたシートを保持することを特徴とする請求項１または２に記載の弾球遊技機。
【請求項４】
前記パターン記憶手段は、前記マトリクスシートデータとして、移動表示を開始してから停止させるまでに所定数の複数段階の移動が可能となる個数の停止図柄候補が配置されたシートを保持するとともに、前記シートは、限界まで移動を進めたときには前記リーチ状態となっていた有効ライン上の図柄組合せがすべて外れ図柄組合せとなるように前記複数の停止図柄候補が配置され、前記限界に達する前の段階では前記リーチ状態となっていた有効ライン上の図柄組合せが当たり図柄組合せとなり得るように前記複数の停止図柄候補が配置されることを特徴とする請求項１から３のいずれかに記載の弾球遊技機。
【請求項５】
前記パターン記憶手段は、前記マトリクスシートデータとして、前記複数の有効ラインにおけるリーチ状態の図柄組合せに対応する図柄の配置で前記複数の停止図柄候補が包含されるとともに、実際に表示されるリーチ状態に応じて選択される複数種類のシートを保持することを特徴とする請求項１から４のいずれかに記載の弾球遊技機。
【請求項６】
前記パターン記憶手段は、前記マトリクスシートデータとして、前記複数の有効ラインにおけるリーチ状態の図柄組合せに対応して前記リーチ状態から前記全図柄停止状態までの複数段分の停止図柄候補が包含されるとともに、実際に表示されるリーチ状態に応じてどの段から表示開始するかが決定されるシートを保持することを特徴とする請求項２から５のいずれかに記載の弾球遊技機。
【発明の詳細な説明】
【技術分野】
【０００１】
本発明は、ぱちんこ遊技機等の弾球遊技機に関し、特に弾球遊技機の演出的な画像処理の技術に関する。
【背景技術】
【０００２】
従来、各種の弾球遊技機のうち、いわゆる第１種ぱちんこ遊技機と呼ばれていた遊技機は、遊技盤の略中央に設けられた液晶ディスプレイなどの表示領域に複数の図柄を変動させながら表示する（以下、そうした表示を「図柄変動」または「変動表示」等という）。この遊技機は、複数列の図柄変動を停止させたときの図柄の組合せが特定の態様となった場合に、通常遊技より多くの賞球が得られる、いわゆる大当たりと呼ばれる特別遊技へと移行するものとして知られている（例えば、特許文献１参照）。表示領域における図柄の変動表示は、単に複数の図柄が変動表示されるだけでなく、いわゆるリーチ変動画面と呼ばれる状態のように、あと一つ図柄が揃えば大当たりとなる状態で変動表示の時間を通常よりも長くする等、遊技者の期待感を高めるための演出が図られている。
【０００３】
ここで、大当たりが発生するかどうかを図柄の変動表示の仕方によって表現するとき、様々な表示の仕方で大当たりの発生が近いことを演出的に示唆する手法が多く用いられる。たとえば、変動速度を一時的に緩めて当たりの図柄で停止しそうに見せたり、変動時間を大幅に長くして通常よりも当たりの可能性が高いように示唆したりするなど、次々にあらたな手法が開発されている。
【特許文献１】特開２００３−２３０７１４号公報
【発明の開示】
【発明が解決しようとする課題】
【０００４】
しかしながら、近年開発される多くの演出は、たとえばキャラクターや特定のモチーフを用いたストーリー展開にて当たりの可能性を示唆しながら遊技者の期待を高める演出であり、開発者としては演出に用いる画像のデザインや制作に多大な時間と労力を注がなければならない。そのため、よりシンプルな構造で遊技者の期待を高められる演出が導入されれば、開発者にとって相対的な労力軽減となり、新機種の早期投入や開発コストの低減へと繋がる。
【０００５】
本発明はこうした課題に鑑みてなされたものであり、その目的は、弾球遊技機においてより簡素な仕組みで当たりの可能性を示唆できる技術を提供することにある。
【課題を解決するための手段】
【０００６】
上記課題を解決するために、本発明のある態様の弾球遊技機は、遊技領域が形成された遊技盤と、遊技領域の所定位置に設けられ、遊技球の入球が抽選の契機となる始動入賞口と、始動入賞口への入球を契機として、通常遊技より遊技者に有利な状態である特別遊技へ移行するか否かを判定するための当否抽選を実行する当否抽選手段と、当否抽選の結果を示すための複数の図柄が変動表示される図柄表示装置と、複数の図柄の変動表示における変動開始から停止までの変動過程が定められた変動パターンを複数保持するパターン記憶手段と、図柄表示装置の表示画面において所定の有効ラインに表示する複数の停止図柄の組合せで当否抽選の結果を示すために当否抽選の結果に応じて複数の停止図柄の組合せを決定するとともに、複数の変動パターンからいずれかを選択する演出決定手段と、選択された変動パターンにしたがって図柄表示装置に複数の図柄を変動表示させる表示制御手段と、当否抽選の結果が当たりとなったことを示す当たり態様にて複数の停止図柄の組合せが表示されたときに、遊技者にとって通常遊技より有利な遊技である特別遊技を実行する特別遊技制御手段と、を備える。パターン記憶手段は、複数の停止図柄候補がシート状にマトリクス配置されて形成されるマトリクスシートデータをさらに保持するとともに、変動パターンとして、複数の有効ラインに停止表示された一部の停止図柄の組合せが、あと一つ図柄が停止して揃えば当たり図柄組合せとなる状態であるリーチ状態を形成し、複数の有効ラインにおいてすでに停止図柄として確定されてリーチ状態を形成する図柄を少なくともその領域で固定したままそれ以外の残りの未停止図柄の表示領域を通じて部分的に視認できる形でマトリクスシートデータを用いたシートを表示し、シート内の複数の停止図柄候補をシートごと同時に移動させることによって表現される変動表示をし、シートの移動を停止させることによって残りの未停止図柄の表示領域に同時に停止図柄を表示させるシート変動パターンを保持する。
【０００７】
ここで「有効ライン」とは、複数の図柄が配置される画面上において当たりか否かを示す図柄組合せとして扱われるべき複数の図柄の並びが形成されるラインであってもよい。通常は少なくとも一つの有効ラインが画面に含まれるとともに、機種により恒常的に複数の有効ラインが設けられる場合もあれば、選択された特定の演出においてのみ一時的に複数の有効ラインが設けられる場合もある。「複数の有効ライン」は、たとえば縦方向の変動表示に対して横ラインおよび斜めラインといった組合せのほか、縦方向の変動表示に対して横ラインと縦ラインといったように、変動表示の方向と同方向の有効ラインを含んでもよい。「シート変動パターン」に基づく図柄変動においては、リーチ状態を形成する図柄をいったん固定するが、必ずしもリーチ状態を形成する図柄のみを固定する態様に限定する趣旨ではなく、リーチ状態を形成する図柄と隣接する図柄をも固定することは妨げない。したがって「未停止図柄」は、固定させた図柄以外の図柄を指すにすぎず、リーチ状態を形成しない図柄がすべて「未停止図柄」であるとは限らない。
【０００８】
この態様によると、通常の図柄変動で用いられるような数字順で一列に連続する複数の停止図柄候補とは異なり、それら複数の停止図柄候補をマトリクス配置したシートが用いられるので、シートに含める図柄の種類や数、配置、変動方向といった要素次第で通常の変動表示とは異なる変動を実現することができる。これにより、過剰な演出やデザインを作成する必要性がなく、より簡易に遊技者の期待感を高めさせる演出を実現することができる。
【０００９】
パターン記憶手段は、シート変動パターンとして、リーチ状態になってから最終的な全図柄停止状態に至るまでシートを図柄一つ分ずつ順次段階的に移動させることにより残りの未停止図柄の表示領域に停止図柄候補を順次表示させるパターンを保持してもよい。これにより、複数の停止可能候補を含むシートを動かすだけで複数段にわたる表示領域上に均等に図柄を表示できるとともに、各未停止図柄の表示領域を横切る各図柄を段階的にゆっくり一つ一つ確実に遊技者へ認識させることで、当たりの可能性の高さを演出的に示唆することができる。
【００１０】
パターン記憶手段は、マトリクスシートデータとして、複数の停止図柄候補が不規則な順序で配置されたシートを保持してもよい。たとえば、同じ種類の図柄を連続的に並べてもよいし、数字の図柄であればその数字が昇順や降順でないアットランダムな順序で並べられてもよい。これにより、通常の昇順や降順で連続する図柄列による変動表示とは異なる期待感を生じさせる図柄変動を実現することができ、遊技者の興趣向上を図ることができる。また、そうしたマトリクスシートデータのうち表示する部分と移動方向を変えるだけで多彩な変動表示を実現でき、言い換えれば多様な変動表示を一つのマトリクスシートデータで実現することができる。よって、多様な変動表示の実現を課題とする開発者の負担を軽減させることができる。
【００１１】
パターン記憶手段は、マトリクスシートデータとして、移動表示を開始してから停止させるまでに所定数の複数段階の移動が可能となる個数の停止図柄候補が配置されたシートを保持するとともに、シートは、限界まで移動を進めたときにはリーチ状態となっていた有効ライン上の図柄組合せがすべて外れ図柄組合せとなるように複数の停止図柄候補が配置され、限界に達する前の段階ではリーチ状態となっていた有効ライン上の図柄組合せが当たり図柄組合せとなり得るように複数の停止図柄候補が配置されてもよい。この態様によれば、最終的な停止図柄組合せを当たり図柄態様とするか外れ図柄態様とするかを、シートを移動させる段階数の決定によって設定することができる。したがって、当たりと外れのいずれを表示するかを簡単に制御することができ、開発上の負担を軽減させることができる。
【００１２】
パターン記憶手段は、マトリクスシートデータとして、複数の有効ラインにおけるリーチ状態の図柄組合せに対応する図柄の配置で複数の停止図柄候補が包含されるとともに、実際に表示されるリーチ状態に応じて選択される複数種類のシートを保持してもよい。この態様によれば、あらかじめ想定される複数のリーチ態様のそれぞれに対応して複数の停止図柄候補が配置されるようにマトリクスシートデータが用意される。すなわち、リーチ態様によってどの表示領域が未停止図柄の表示領域となるかは異なるため、その表示領域の位置やリーチ状態を形成する図柄に対応するよう複数の停止図柄候補が適切に配置される。この場合、一つのマトリクスシートデータで複数種類のリーチ状態に対応するようシートを構成させてもよいし、リーチ状態ごとに個別のマトリクスシートデータが対応するようシートを構成させてもよい。このように、リーチ状態とシートの構成を対応させるので、リーチ状態の構成さえ決まれば使用するシートも決まるため、シートの選択や制御を簡素化でき、開発上の負担を軽減させることができる。
【００１３】
パターン記憶手段は、マトリクスシートデータとして、複数の有効ラインにおけるリーチ状態の図柄組合せに対応してリーチ状態から全図柄停止状態までの複数段分の停止図柄候補が包含されるとともに、実際に表示されるリーチ状態に応じてどの段から表示開始するかが決定されるシートを保持してもよい。この態様によれば、シートの表示開始位置を決定するだけで変動表示の態様を決定することができるので、制御処理を簡素化でき、開発上の負担を軽減させることができる。
【００１４】
なお、以上の構成要素の任意の組合せや、本発明の構成要素や表現を方法、装置、システム、コンピュータプログラム、コンピュータプログラムを格納した記録媒体、データ構造などの間で相互に置換したものもまた、本発明の態様として有効である。
【発明の効果】
【００１５】
本発明の弾球遊技機によれば、演出による期待感向上と開発の簡素化との調和を図ることができる。
【発明を実施するための最良の形態】
【００１６】
図１は、ぱちんこ遊技機の前面側における基本的な構造を示す。以下、弾球遊技機として従来にいういわゆる第１種ぱちんこ遊技機を例に説明する。ぱちんこ遊技機１０は、主に遊技機枠と遊技盤で構成される。ぱちんこ遊技機１０の遊技機枠は、外枠１１、前枠１２、透明板１３、扉１４、上球皿１５、下球皿１６、および発射ハンドル１７を含む。外枠１１は、開口部分を有し、ぱちんこ遊技機１０を設置すべき位置に固定するための枠体である。前枠１２は、外枠１１の開口部分に整合する枠体であり、図示しないヒンジ機構により外枠１１へ開閉可能に取り付けられる。前枠１２は、遊技球を発射する機構や、遊技盤を着脱可能に収容させるための機構、遊技球を誘導または回収するための機構等を含む。
【００１７】
透明板１３は、ガラスなどにより形成され、扉１４により支持される。扉１４は、図示しないヒンジ機構により前枠１２へ開閉可能に取り付けられる。上球皿１５は、遊技球の貯留、発射レールへの遊技球の送り出し、下球皿１６への遊技球の抜き取り等の機構を有する。下球皿１６は、遊技球の貯留、抜き取り等の機構を有する。上球皿１５と下球皿１６の間にはスピーカ１８が設けられており、遊技状態などに応じた効果音が出力される。
【００１８】
遊技盤５０は、外レール５４と内レール５６により区画された遊技領域５２上に、アウト口５８、特別図柄表示装置６１、演出表示装置６０、始動入賞口（以下、「始動口」という）６２、センター飾り６４、大入賞口６６、作動口６８、一般入賞口７２を含む。さらに遊技領域５２には、図示しない複数の遊技釘や風車などの機構が設置される。始動口６２は、遊技球の入球を検出するための始動入賞検出装置７４と、始動口の普通電動役物を拡開させるための普通電動役物ソレノイド７６を備える。始動入賞検出装置７４は、始動口６２への遊技球の入球を検出するセンサであり、入球時にその入球を示す始動入賞情報を生成する。一般入賞口７２は、遊技球の入球を検出するための一般入賞検出装置７３を備える。一般入賞検出装置７３は、一般入賞口７２への遊技球の入球を検出するセンサであり、入球時にその入球を示す一般入賞情報を生成する。大入賞口６６は、遊技球の入球を検出するための入賞検出装置７８と、大入賞口６６を拡開させるための大入賞口ソレノイド８０を備える。入賞検出装置７８は、大入賞口６６への遊技球の入球を検出するセンサであり、入球時にその入球を示す大入賞口入賞情報を生成する。
【００１９】
大入賞口６６は、特別図柄１９２が所定の態様にて停止したときに「大当たり」として開放状態となる横長方形状の入賞口である。大入賞口６６はアウト口５８の上方等の位置に設けられる。大入賞口６６の入賞検出装置７８は、遊技球の通過を検出するセンサを備えて構成される。
【００２０】
遊技領域５２の左方に設けられた特別図柄表示装置６１および遊技領域５２の略中央に設けられた演出表示装置６０は、それぞれの画面に特別図柄１９２の変動と、特別図柄１９２に連動する装飾図柄１９０を含む演出画像の変動を表示する（以下、そうした表示を「図柄変動」または「変動表示」等という）。ここで、特別図柄１９２は、始動口６２への遊技球の落入を契機として行われる抽選の結果に対応した図柄であり、その変動表示が停止されたときの図柄態様が当たりと定められた図柄であった場合、その停止図柄が表示されたタイミングが大当たり発生タイミングとなる。特別図柄表示装置６１は、例えば７セグメントＬＥＤで構成される表示手段である。演出表示装置６０は、特別図柄１９２の変動表示と連動する形で装飾図柄１９０を変動表示する液晶ディスプレイである。装飾図柄１９０は、特別図柄１９２で示される抽選の結果表示を視覚的に演出するための図柄である。演出表示装置６０は、装飾図柄１９０として、例えばスロットマシンのゲームを模した複数列の図柄変動の動画像を画面の中央領域に表示する。演出表示装置６０は、この実施例では液晶ディスプレイで構成されるが、ドラムなどの機械式回転装置やＬＥＤなどの他の表示手段で構成されてもよい。なお、特別図柄１９２は必ずしも演出的な役割をもつことを要しないため、本実施例では演出表示装置６０の左下方の特別図柄表示装置６１にて目立たない大きさで表示させるが、特別図柄自体に演出的な役割をもたせて装飾図柄を表示させないような手法を採用する場合には、特別図柄を演出表示装置６０のような液晶ディスプレイに表示させてもよい。作動口６８は、遊技盤５０の左側方位置に設けられる。作動口６８は、通過検出装置６９を含む。通過検出装置６９は、作動口６８への遊技球の通過を検出するセンサであり、通過時にその通過を示す通過情報を生成する。作動口６８への遊技球の通過は始動口６２を拡開させるための抽選の契機となる。作動口６８を遊技球が通過すると、所定時間、普通図柄と呼ばれる図柄が普通図柄表示装置５９に変動表示される。普通図柄表示装置５９は演出表示装置６０の右下方に設けられる。所定時間の経過後に普通図柄の変動表示が停止すると、通常、５０％から８０％程度の確率で始動口６２が所定時間拡開する。
【００２１】
演出表示装置６０の周囲には、センター飾り６４が設けられる。センター飾り６４は、遊技球の流路、特別図柄表示装置６１および演出表示装置６０の保護、装飾等の機能を有する。演出表示装置６０の下方には、抽選保留ランプ２０が設けられ、その対称的な位置である遊技領域５２の右下部には、普通図柄表示装置５９の下に作動保留ランプ２２が設けられている。抽選保留ランプ２０は、４個のランプからなり、その点灯個数によって当否抽選の保留数を表示する。当否抽選の保留数は、図柄変動中または特別遊技中に始動口６２へ入賞した抽選結果の個数であり、図柄変動がまだ実行されていない入賞球の数を示す。作動保留ランプ２２もまた４個のランプからなり、その点灯個数によって普通図柄変動の保留数を表示する。普通図柄変動の保留数は、普通図柄の変動中に作動口６８を通過した遊技球の個数であり、普通図柄の変動がまだ実行されていない普通図柄抽選の数を示す。操作ボタン８２は、遊技者が遊技機側所定の指示へ入力するために操作するボタンである。操作ボタン８２は、上球皿１５近傍の外壁面に設けられる。
【００２２】
遊技者が発射ハンドル１７を手で回動させると、その回動角度に応じた強度で上球皿１５に貯留された遊技球が１球ずつ内レール５６と外レール５４に案内されて遊技領域５２へ発射される。遊技者が発射ハンドル１７の回動位置を手で固定させると一定の時間間隔で遊技球の発射が繰り返される。遊技領域５２の上部へ発射された遊技球は、複数の遊技釘や風車に当たりながらその当たり方に応じた方向へ落下する。遊技球が一般入賞口７２や始動口６２、大入賞口６６の各入賞口へ落入すると、その入賞口の種類に応じた賞球が上球皿１５または下球皿１６に払い出される。一般入賞口７２等の各入賞口に落入した遊技球はセーフ球として処理され、アウト口５８に落入した遊技球はアウト球として処理される。なお、各入賞口は遊技球が通過するゲートタイプのものを含み、本願において「落入」「入球」「入賞」というときは「通過」を含むものとする。
【００２３】
遊技球が始動口６２に落入すると、特別図柄表示装置６１および演出表示装置６０において特別図柄１９２および装飾図柄１９０が変動表示される。特別図柄１９２および装飾図柄１９０の変動表示は、表示に先だって決定された表示時間の経過後に停止される。停止時の特別図柄１９２および装飾図柄１９０が大当たりを示す図柄である場合、通常遊技よりも遊技者に有利な遊技状態である特別遊技に移行し、大入賞口６６の開閉動作が開始される。このときスロットマシンのゲームを模した装飾図柄１９０は、３つの図柄を一致させるような表示態様をとる。特別遊技において、大入賞口６６は、約３０秒間開放された後、または９球以上の遊技球が落入した後で一旦閉鎖される。このような大入賞口６６の開閉が所定回数、例えば１５回繰り返される。
【００２４】
特別遊技が発生した場合であってそのときの当たり停止図柄が特定の態様であった場合、特別遊技の終了後に特定遊技として確率変動遊技および変動短縮遊技が開始される。確率変動遊技においては、通常の確率状態より当たりの確率が高い抽選が行われ、比較的早期に新たな特別遊技が発生する。変動短縮遊技の実行中においては、普通図柄の変動表示時間が短縮されるとともに、始動口６２が開放状態となる時間が相対的に長く設定される。
【００２５】
図２は、ぱちんこ遊技機の背面側における基本的な構造を示す。電源スイッチ４０はぱちんこ遊技機１０の電源をオンオフするスイッチである。メイン基板１０２は、ぱちんこ遊技機１０の全体動作を制御し、特に始動口６２へ入賞したときの抽選等、遊技動作全般を処理する。サブ基板１０４は、液晶ユニット４２を備え、演出表示装置６０における表示内容や複数の可動役物１４０の動作、遊技効果ランプ９０の点灯を制御し、特にメイン基板１０２による抽選結果に応じて表示内容を変動させ、その演出の進行に沿って可動役物１４０や遊技効果ランプ９０の点灯を作動させる。メイン基板１０２およびサブ基板１０４は、遊技制御装置１００を構成する。セット基盤３９は、賞球タンク４４や賞球の流路、賞球を払い出す払出ユニット４３等を含む。払出ユニット４３は、各入賞口への入賞に応じて賞球タンク４４から供給される遊技球を上球皿１５へ払い出す。払出制御基板４５は、払出ユニット４３による払出動作を制御する。発射装置４６は、上球皿１５の貯留球を遊技領域５２へ１球ずつ発射する。発射制御基板４７は、発射装置４６の発射動作を制御する。電源ユニット４８は、ぱちんこ遊技機１０の各部へ電力を供給する。
【００２６】
図３は、本実施例におけるぱちんこ遊技機１０の機能ブロックを示す。ぱちんこ遊技機１０において、遊技制御装置１００は、始動口６２、大入賞口６６、一般入賞口７２、作動口６８、特別図柄表示装置６１、演出表示装置６０、普通図柄表示装置５９、操作ボタン８２、スピーカ１８、遊技効果ランプ９０のそれぞれと電気的に接続されており、各種制御信号の送受信を可能とする。遊技制御装置１００は、遊技の基本動作だけでなく、図柄変動表示や可動役物１４０、電飾等の演出的動作も制御する。遊技制御装置１００は、遊技の基本動作を含むぱちんこ遊技機１０の全体動作を制御するメイン基板１０２と、図柄の演出等を制御するサブ基板１０４とに機能を分担させた形態で構成される。遊技制御装置１００は、ハードウエア的にはデータやプログラムを格納するＲＯＭやＲＡＭ、演算処理に用いるＣＰＵ等の素子を含んで構成される。
【００２７】
本実施例におけるメイン基板１０２は、入球判定手段１１０、当否抽選手段１１２、図柄決定手段１１４、保留制御手段１１６、メイン表示制御手段１１８、特別遊技制御手段１２０、特定遊技実行手段１２２、開閉制御手段１２４を備える。本実施例におけるサブ基板１０４は、パターン記憶手段１３０、演出決定手段１３２、演出表示制御手段１３４、役物制御手段１３６を備える。なお、メイン基板１０２に含まれる各機能ブロックは、いずれかがメイン基板１０２ではなくサブ基板１０４に搭載されるかたちで構成されてもよい。同様に、サブ基板１０４に含まれる各機能ブロックは、いずれかがサブ基板１０４ではなくメイン基板１０２に搭載されるかたちで構成されてもよい。
【００２８】
入球判定手段１１０は、各入賞口への遊技球の入球を判定する。入球判定手段１１０は、始動入賞情報を受け取ると遊技球が始動口６２に入賞したと判断し、大入賞口入賞情報を受け取ると遊技球が大入賞口６６に入賞したと判断し、一般入賞情報を受け取ると遊技球が一般入賞口７２に入賞したと判断する。入球判定手段１１０は、通過情報を受け取ると遊技球が作動口６８を通過したと判断する。
【００２９】
当否抽選手段１１２は、始動口６２への遊技球の入球を契機として、通常遊技より遊技者に有利な状態である特別遊技へ移行するか否かを判定するために乱数の値を当否抽選値として取得する。たとえば、当否抽選値は「０」から「６５５３５」までの値範囲から取得される。なお、本願にいう「乱数」は、数学的に発生させる乱数でなくてもよく、ハードウエア乱数やソフトウエア乱数などにより発生させる疑似乱数でもよい。当否抽選手段１１２は、当否判定で参照する当否テーブルを複数保持する。複数の当否テーブルには、当たりまたは外れの判定結果と当否抽選値とが対応付けられており、対応付けられた当たりの範囲設定に応じて当否確率が定まる。当否抽選手段１１２は、通常時には通常確率による当否判定のための当否テーブルを参照し、確率変動時には通常確率より当たりの確率が高くなる当否テーブルを参照する。当否抽選手段１１２は、複数の当否テーブルのうちいずれかを参照し、当否抽選値が当たりであるか否かを判定する。当否抽選手段１１２による判定結果は、特別図柄表示装置６１において特別図柄の形で変動表示される。また、当否抽選手段１１２による判定結果を演出的に示す装飾図柄が演出表示装置６０において変動表示される。
【００３０】
図柄決定手段１１４は、特別図柄表示装置６１に表示させる特別図柄の停止図柄と変動パターンを、当否抽選手段１１２による抽選の結果に応じて決定する。また、図柄決定手段１１４は、普通図柄表示装置５９に表示させる普通図柄の停止図柄を抽選により決定する。停止図柄は、図柄変動の終了時に表示すべき図柄である。図柄決定手段１１４は、特別図柄や普通図柄の停止図柄を決定するために参照すべき図柄範囲テーブルや、変動パターンを決定するために参照すべきパターン決定テーブルを保持する。
【００３１】
図柄決定手段１１４は、特別図柄を決定するための図柄決定抽選値を取得し、当否抽選手段１１２による当否判定結果と図柄決定抽選値とに応じて特別図柄の停止図柄を決定する。図柄決定手段１１４は、当否抽選手段１１２による当否判定結果に応じて複数の変動パターンからいずれかのパターンを選択する。図柄決定手段１１４は、決定した停止図柄および変動パターンを示すデータをメイン表示制御手段１１８および演出決定手段１３２へ送出する。
【００３２】
図柄決定手段１１４は、特別図柄を変動表示させるときの変動開始から停止までの変動態様が定められた複数種の変動パターンを記憶する。複数種の変動パターンは、長短様々な変動時間をもつ。すなわち、各変動パターンには、その図柄変動の終了条件としてパターンごとに変動表示時間が定められており、その変動表示時間の経過時に特別図柄の変動が停止される。
【００３３】
図柄決定手段１１４は、遊技球が作動口６８を通過した場合に、普通図柄を決定するための抽選乱数を取得し、その抽選乱数に応じて普通図柄の停止図柄を決定する。普通図柄の停止図柄が特定の図柄であった場合、開閉制御手段１２４が始動口６２の普通電動役物を所定時間拡開する。
【００３４】
保留制御手段１１６は、当否抽選手段１１２により取得された当否抽選値を保留球として保持する。当否抽選値は、その保留数が所定の上限に達するまで蓄積される。保留数の上限は４である。
【００３５】
メイン表示制御手段１１８は、当否抽選手段１１２による抽選の結果を、図柄決定手段１１４により決定された変動パターンにしたがって特別図柄の変動表示として特別図柄表示装置６１に表示させる。メイン表示制御手段１１８は、特別図柄の変動表示を開始するタイミングと停止するタイミングにて、変動開始コマンドと変動停止コマンドを演出表示制御手段１３４へ送信することにより、メイン表示制御手段１１８および演出表示制御手段１３４による変動表示が同期し、連動が保たれる。メイン表示制御手段１１８は、普通図柄の変動を普通図柄表示装置５９に表示させる。
【００３６】
特別遊技制御手段１２０は、当否抽選手段１１２による当否抽選結果が当たりであった場合に、特別遊技の実行処理を制御する。特別遊技は、大入賞口６６の開閉動作を複数回数連続して継続する遊技であり、１回の開閉を単位とした１回または複数回の単位遊技で構成される。単位遊技は例えば１５回を上限として繰り返され、１回の単位遊技において大入賞口６６を約３０秒間開放させる。特別遊技制御手段１２０は、単位遊技の継続回数、大入賞口６６の特定領域への通過検出の有無に基づいて、単位遊技を継続させるか否か、すなわち次回の単位遊技を開始するか否かを判定する。次回の単位遊技を開始するための継続条件が満足されない場合、または単位遊技の上限回数を消化した場合には、特別遊技を終了させる。
【００３７】
特定遊技実行手段１２２は、確率変動状態における遊技を制御する。特定遊技実行手段１２２は、当否抽選値が特定遊技へ移行すべき値であった場合、特別遊技後の遊技状態を確率変動状態へ移行させる。確率変動状態は原則として次の大当たりが発生するまで続行され、その間は当否抽選手段１１２による当たり判定の確率が高い値のまま維持される。
【００３８】
開閉制御手段１２４は、始動口６２の普通電動役物や大入賞口６６の開閉を制御する。開閉制御手段１２４は、普通図柄が特定の図柄で停止されると、普通電動役物ソレノイド７６に開放指示を送り、始動口６２を開放させる。また、開閉制御手段１２４は、特別遊技中、大入賞口ソレノイド８０に開放指示を送り、大入賞口６６を開放させる。
【００３９】
パターン記憶手段１３０は、装飾図柄を含む演出画像の変動パターンとして複数の変動パターンデータを保持する。演出決定手段１３２は、装飾図柄の停止図柄と変動パターンを、当否抽選手段１１２による抽選の結果、特別図柄の停止図柄、特別図柄の変動パターンに応じて決定する。演出決定手段１３２は、装飾図柄の停止図柄を決定するために参照すべき図柄範囲テーブルや、変動パターンを決定するために参照すべきパターンテーブルを保持する。
【００４０】
装飾図柄の停止図柄は、３つの図柄の組合せとして形成され、たとえば当否抽選手段１１２による判定結果が特別遊技への移行を示す場合は「７７７」や「１１１」のように３つの図柄が揃った組合せが選択される。この場合、装飾図柄として揃える数字には、特別図柄と同じ数字が選ばれるのが好ましい。たとえば、特別図柄が「３」の場合は装飾図柄が「３３３」となる。当否抽選手段１１２による判定結果が特別遊技へ移行しない旨を示す場合は、「３１２」や「９４６」のように３つの図柄が揃っていない組合せが選択される。ただし、当否判定結果が特別遊技へ移行しない旨を示す場合であって、リーチ付きの外れを示す特別図柄の変動パターンが選択された場合は、「１９１」や「７２７」のように一つだけ図柄が揃っていない組合せを選択する。演出決定手段１３２は、演出表示装置６０の表示画面における有効ラインの数だけ、その有効ライン上に表示すべき複数の停止図柄の組合せを決定する。有効ラインの数は、通常時は一つとし、特定の変動パターンが選択されたときのみ複数の有効ラインに切り替える構成としてもよい。演出決定手段１３２は、装飾図柄の停止図柄と演出画像の変動パターンの情報を演出表示制御手段１３４へ送る。
【００４１】
演出画像の変動パターンは、演出画像の変動表示態様、すなわち演出画像の変動開始から変動停止までの演出過程が定義される。変動パターンには、通常の外れ図柄を表示するときのパターンと、あと一つ図柄が揃えば大当たりとなるリーチ状態を経て外れ図柄を表示するときのパターンと、リーチ状態を経て大当たり図柄を表示するときのパターンが含まれる。特に、リーチ状態を経るときのパターンとしては、長短様々な変動時間をもつパターンが含まれる。各変動パターンには、その図柄変動の終了条件としてパターンごとに変動時間が定められており、その変動時間の経過時に図柄変動が停止される。演出決定手段１３２は、特別図柄の変動パターンに応じて、特別図柄と変動時間が等しい演出画像の変動パターンを選択する。
【００４２】
演出表示制御手段１３４は、当否抽選手段１１２による当否抽選の結果を、選択された変動パターンデータにしたがって演出表示装置６０へ演出画像を変動表示させる。演出表示制御手段１３４は、遊技効果ランプ９０の点灯および消灯や、スピーカ１８からの音声出力などの演出処理をさらに制御する。
【００４３】
役物制御手段１３６は、演出表示制御手段１３４から受け取る指示にしたがい、演出表示装置６０における演出内容や遊技効果ランプ９０の点滅過程に沿って、可動役物１４０を演出的に動作させる。
【００４４】
以下、本実施例における特徴的な機能および動作を説明する。本実施例におけるパターン記憶手段１３０は、マトリクスシートデータ２００をさらに保持するとともに、そのマトリクスシートデータ２００を用いた変動パターンであるシート変動パターンを保持する。図４は、マトリクスシートデータ２００の一例を模式的に示す。マトリクスシートデータ２００は、複数の停止図柄候補がシート状の絵を背景にしてマトリクス配置されて形成されるデータであり、シート変動パターンが演出決定手段１３２によって選択されたときの変動表示に用いられる。
【００４５】
図４のマトリクスシートデータ２００においては、３６個の停止図柄候補が３列１２行のマトリクスを形成している。通常の変動表示においては、図柄表示領域ごとに数字や記号が昇順または降順などの規則的な順序で配置された装飾図柄の図柄列を変動表示させるが、本実施例のマトリクスシートデータ２００においては、図示するとおり複数の停止図柄候補が不規則な順序で配置される。「２」「７」「２」のように数字順序を飛ばした配列であったり、「２」「２」「２」のように何度も同じ種類の数字が連続する配列であったりしてもよい。これら３６個の停止図柄候補のうちいずれかが、シート変動パターンを用いた変動表示において最終的な停止図柄として用いられる。したがって、マトリクスシートデータ２００は、複数の有効ラインにおける一つまたは複数のリーチ状態の図柄組合せに対応する図柄の配置で複数の停止図柄候補を包含する。たとえば、左、中央、右の図柄のうち両端の停止図柄が確定して中央が未停止図柄となった場合、中央の列に含まれる複数の停止図柄候補のうちいずれかが最終的な停止図柄として用いられることとなる。その場合、リーチ状態を構成する図柄と同じ図柄がマトリクスシートデータ２００の中央の列に含まれ、最終的に当たり図柄組合せを表示させる場合には当たり図柄と同じ図柄を最終的な停止図柄として用い、外れ図柄組合せを表示させる場合にはその他の図柄を最終的な停止図柄として用いる。本図の場合、たとえば「２２２」と「３３３」の複合リーチに対応できるよう、「２」と「３」が当たり図柄として使用できるよう中央の列に含まれており、また、その複合リーチにおいて外れ図柄として使用できる「７」も中央の列に含まれている。このように、実際に表示されるリーチ態様に応じて選択されるよう複数種類のシートが用意される。また、複数種類のシートは、図柄の配置だけが固定的にレイアウトされ、一部の図柄を他の図柄と差し替えて使用することもできる。本図の例では、たとえば「５５５」「６６６」の複合リーチのときに、「２」「３」の部分を「５」「６」に差し替えて使用してもよい。
【００４６】
図５は、シート変動パターンにおける変動表示のリーチ場面を模式的に示す。本図のとおり、交差する二つの有効ラインにおいてリーチ状態が形成される例を説明する。シート変動パターンに基づく図柄変動は、初期的には通常の図柄変動と同様の変動が表示される。すなわち、第１図柄列２０８ａ、第２図柄列２０８ｂ、第３図柄列２０８ｃのそれぞれに数字の図柄である複数の停止図柄候補が昇順または降順に連続して形成される図柄列が変動表示される。各図柄列には、数字の停止図柄候補の間に、当たり図柄組合せや外れ図柄組合せを構成しないことを示すブランク図柄が挟まれている。
【００４７】
通常の変動表示の後、第１図柄列２０８ａ、第２図柄列２０８ｂ、第３図柄列２０８ｃに複数の停止図柄候補が半停止表示され、直線上に並んだ停止図柄候補の組合せが当たりまたは外れを示す図柄組合せとして扱われるように有効ラインを形成する。ここでは、複数の有効ラインに停止表示された一部の停止図柄である第１停止図柄２０２ａと第２停止図柄２０２ｂの組合せ、第３停止図柄２０２ｃと第４停止図柄２０２ｄの組合せが、あと一つ図柄が停止して揃えば当たり図柄組合せとなる状態であるリーチ状態を形成する。ここでは「２１２」の図柄組合せと「３１３」の図柄組合せが表示されているが、この時点では第１停止図柄２０２ａ、第２停止図柄２０２ｂ、第３停止図柄２０２ｃ、第４停止図柄２０２ｄのみが停止図柄として確定し、未停止図柄２０４は停止図柄としては確定していない。第１停止図柄２０２ａ、第２停止図柄２０２ｂ、第３停止図柄２０２ｃ、第４停止図柄２０２ｄのそれぞれの前後に表示される第１ブランク図柄２０６ａ、第２ブランク図柄２０６ｂ、第３ブランク図柄２０６ｃ、第４ブランク図柄２０６ｄは、いずれも当たり図柄組合せや外れ図柄組合せを構成しないため、これらの図柄を含んだラインは有効ラインを形成しない。以上の図５の状態から次図の状態へ移行する。
【００４８】
図６は、シート変動パターンにおいて確定した停止図柄以外の図柄を消去した状態を示す。図５の状態から、すでに停止図柄として確定した停止図柄である第１停止図柄２０２ａ、第２停止図柄２０２ｂ、第３停止図柄２０２ｃ、第４停止図柄２０２ｄをその領域で固定したまま、それ以外の残りの未停止図柄２０４や第１〜４ブランク図柄２０６ａ、２０６ｂ、２０６ｃ、２０６ｄ（以下、これら未停止図柄およびブランク図柄の表示領域を「未停止図柄の表示領域」と総称する）を消去した状態である。以上の図６の状態から次図の状態へ移行する。なお、本図の例では第１停止図柄２０２ａ、第２停止図柄２０２ｂ、第３停止図柄２０２ｃ、第４停止図柄２０２ｄのすべてがリーチ状態を形成する図柄となっているが、必ずしも固定される図柄のすべてがリーチ状態を形成しなくともよい。たとえば第１停止図柄２０２ａと第４停止図柄２０２ｄが「２」となり、第３停止図柄２０２ｃが「３」で第２停止図柄２０２ｂが「１」となってもよい。
【００４９】
図７は、シート変動パターンにおいて確定した停止図柄の背後にマトリクスシートデータ２００を重畳させて表示させる状態を示す。図６の状態から、第１停止図柄２０２ａ、第２停止図柄２０２ｂ、第３停止図柄２０２ｃ、第４停止図柄２０２ｄ以外の残りの未停止図柄の表示領域を通じて部分的に視認できるよう、確定した停止図柄の背景にマトリクスシートデータ２００を表示させる。ここでは図４に示されるマトリクスシートデータ２００の上部に配置された９個の停止図柄候補が演出表示装置６０の表示画面において二つの有効ラインに重畳される。とくにマトリクスシートデータ２００における上部９個の停止図柄候補のうち中央の停止図柄候補が、二つの有効ラインの交差する中央の図柄表示領域にてそれら有効ライン上の図柄組合せの一部として一時的に表示される。このとき、中央の図柄表示領域には「２」が表示されており、第１停止図柄２０２ａと第２停止図柄２０２ｂの有効ライン上で「２２２」を構成するので、もしここで中央の「２」が確定的に停止すればそのまま当たり停止図柄組合せを構成するものの、ここでは停止を確定させず、変動を続行する。
【００５０】
それから、最終的な全図柄停止状態に至るまでマトリクスシートデータ２００を図柄一つ分ずつ上方向へ順次段階的に移動させる。たとえば１秒に１段ずつ移動させるといった移動タイミングの間隔にて移動させてもよい。このようにマトリクスシートデータ２００に含まれる複数の停止図柄候補をシートごと同時に上方向に段階的に移動させることにより、残りの未停止図柄の表示領域に停止図柄候補を順次表示させ、これを変動表示とする。未停止図柄の表示領域には、１段ずつ確実に停止図柄候補が視認できるように表示される。したがって、停止図柄候補の配置順序そのものが遊技者にとって最終的な停止図柄の予測を助ける働きをもち、遊技者の期待感を高めさせる効果を生ずる。このように、未停止図柄およびブランク図柄をすべて消去した未停止図柄の表示領域がすべて停止図柄候補で埋められた変動表示とすることにより、ブランク図柄が表示されるよりも、外観上、当たりの停止図柄組合せが表示される可能性が高いように演出することができる。また、そうした演出的効果の高い変動表示を、マトリクスシートデータ２００を単に移動するだけの簡易な処理で表現することができ、開発負担を相対的に軽減することができる。以上の図７の状態から次図の状態へ移行する。
【００５１】
図８は、シート変動パターンにおいて最終的にすべての停止図柄が確定した状態を示す。図７の状態から、マトリクスシートデータ２００を図柄一つ分ずつ上方向へ移動させて移動限界に至った状態が本図であり、二つの有効ラインの交差する領域にはそれら有効ライン上の図柄組合せの一部を構成する停止図柄として「７」が確定的に表示される。この「７」は、二つの有効ラインにおいて「２７２」「３７３」という外れ図柄組合せの一部となる。このように、図４のマトリクスシートデータ２００は、リーチ状態から全図柄停止状態までの複数段分の停止図柄候補が包含されるシートであり、具体的には、移動表示を開始してから停止させるまでに１０段階の表示で９段階の移動が可能となるよう１２段の停止図柄候補が配置されたシートである。マトリクスシートデータ２００は、図８のように限界まで移動を進めたときには、リーチ状態となっていた有効ライン上の図柄組合せがすべて外れ図柄組合せとなるように複数の停止図柄候補が配置されている。一方、マトリクスシートデータ２００は、限界に達する前の段階では、図７のようにリーチ状態となっていた有効ライン上の図柄組合せが当たり図柄組合せとなり得るように複数の停止図柄候補が配置される。
【００５２】
演出決定手段１３２は、変動パターンとしてシート変動パターンを選択する場合は、選択した変動パターンに対応するマトリクスシートにおいてどの段から表示開始するかを決定する。図７の例では、図４に示されるマトリクスシートデータ２００の最上部分から表示開始する場合を説明した。この場合は当たり図柄組合せの一部となる「２」か「３」で停止することを遊技者は期待するため、その期待に添った「２」の表示から開始して何度か「２」を連続的に表示して期待感を高めさせた後、最終段階の直前になって同じく当たり図柄である「３」を表示してから最後に外れとなる「７」で停止するという順序である。この場合は、最初から連続的に期待させておいて最後に期待を外すという演出の手法である。図９は、シート変動パターンにおいてマトリクスシートデータ２００に含まれる複数段のうち途中の段から表示開始させた場合を示す。この場合は当たり図柄組合せの一部となる「２」や「３」から表示開始するのではなく、外れ図柄である「７」で表示開始させた後、最後に「２」または「３」で停止させる。これは、最初に期待を外しておいて最終的には期待する図柄で停止して当たり図柄組合せを表示させる演出の手法である。このように、実際に表示されるリーチ状態と、実際に当たりと外れのいずれを表示すべきかといった状況に応じて、マトリクスシートデータ２００のどの段から表示開始するかが演出決定手段１３２により決定される。このように、マトリクスシートデータ２００のどの段から表示開始し、何段分移動させるかを決定するだけで、当否結果に応じた様々な演出を実現することができる。また、どのマトリクスシートデータを用いるかや、表示開始位置、移動段数などの情報は、すべてシート変動パターンにあらかじめ定義されていてもよいし、シート変動パターンやリーチ態様との対応が規定されたテーブルをパターン記憶手段１３０が保持してもよい。
【００５３】
図１０は、ぱちんこ遊技機における基本的な動作過程を示すフローチャートである。まず、遊技球が始動口６２、一般入賞口７２、大入賞口６６などへ入賞した場合や、遊技球が作動口６８を通過した場合の処理を実行し（Ｓ１０）、特別遊技中でなければ（Ｓ１２のＮ）、当否抽選などの通常遊技の制御処理を実行し（Ｓ１４）、特別遊技中であれば（Ｓ１２のＹ）、特別遊技の制御処理を実行し（Ｓ１６）、Ｓ１０からＳ１６までの処理における各種入賞に応じた賞球払出を処理する（Ｓ１８）。
【００５４】
図１１は、図１０におけるＳ１４の通常遊技制御処理を詳細に示すフローチャートである。通常遊技制御処理において、当否抽選値の保留がなされている場合であって（Ｓ３０のＹ）、図柄変動が表示中でなければ（Ｓ３２のＮ）、当否抽選手段１１２が当否判定処理を実行する（Ｓ３４）。その判定結果に応じてメイン表示制御手段１１８が変動表示を開始するとともに、変動開始コマンドを演出表示制御手段１３４へ送信し、これを受信した演出表示制御手段１３４が変動パターンデータにしたがって演出画像の変動表示を開始する（Ｓ３６）。Ｓ３０において当否抽選値が保留されていなかった場合は（Ｓ３０のＮ）、Ｓ３２からＳ３６までの処理がスキップされ、Ｓ３２において図柄変動が表示中であった場合は（Ｓ３２のＹ）、Ｓ３４およびＳ３６の処理がスキップされる。続いて、図柄変動表示がすでに開始されていれば（Ｓ３８のＹ）、図柄変動表示処理を実行し（Ｓ４０）、図柄変動表示が開始されていないときは（Ｓ３８のＮ）、Ｓ４０をスキップする。
【００５５】
図１２は、図１１におけるＳ３４の当否判定処理を詳細に示すフローチャートである。当否判定処理においては、主に、抽選値に基づく当否の判定と、図柄決定処理や変動パターン選択処理がなされる。まず、当否抽選手段１１２が当否抽選値を取得し（Ｓ４２）、その当否抽選値に基づいて当否を判定する（Ｓ４４）。図柄決定手段１１４は、当否判定結果に基づいて特別図柄の停止図柄を決定し（Ｓ４６）、特別図柄の変動パターンを選択する（Ｓ４８）。演出決定手段１３２は、当否判定結果や特別図柄に合わせて装飾図柄の停止図柄組合せを決定し（Ｓ５０）、装飾図柄の変動パターンを選択する（Ｓ５２）。たとえばシート変動パターンはリーチ状態を経て変動表示される比較的変動時間の長いパターンであるため、特別図柄の変動パターンとして比較的時間の長い変動パターンが選択された場合のみ選択される。Ｓ５２で選択された装飾図柄の変動パターンがシート変動パターンであった場合（Ｓ５４のＹ）、そのシート変動パターンに対応するマトリクスシートデータ２００を選択し（Ｓ５６）、選択したマトリクスシートデータ２００に含める図柄をリーチ態様に応じて決定し（Ｓ５８）、マトリクスシートデータ２００の表示開始位置と移動段数を決定して本図のＳ３４のフローを終了する（Ｓ６０）。Ｓ５２で選択された装飾図柄の変動パターンがシート変動パターンでない場合（Ｓ５４のＮ）、Ｓ５６からＳ６０までの処理をスキップして本図のＳ３４のフローを終了する。
【００５６】
図１３は、図１１におけるＳ４０の変動表示処理を詳細に示すフローチャートである。まず、変動表示に用いる変動パターンがシート変動パターンでない場合は（Ｓ１００のＮ）、通常の変動パターンにしたがって変動を表示し（Ｓ１０２）、後述のＳ１１４へジャンプする。また、変動表示に用いる変動パターンがシート変動パターンであった場合でも（Ｓ１００のＹ）、リーチ状態に至るまでは（Ｓ１０４のＮ）、通常の変動パターンにしたがって変動を表示し（Ｓ１０２）、後述のＳ１１４へジャンプする。
【００５７】
シート変動パターンを用いた変動表示においてリーチ状態が表示されたとき（Ｓ１０４のＹ）、マトリクスシートデータ２００の表示開始がまだなされていなければ（Ｓ１０６のＹ）、あらかじめ決定された開始位置からマトリクスシートデータ２００の表示を開始する（Ｓ１０８）。Ｓ１０６においてすでにマトリクスシートデータ２００の表示が開始されていた場合は（Ｓ１０６のＮ）、Ｓ１０８の処理をスキップする。マトリクスシートデータ２００の移動タイミングに達したとき（Ｓ１１０のＹ）、マトリクスシートデータ２００を図柄一つ分移動させる（Ｓ１１２）。Ｓ１１０において移動タイミングに達していないときは（Ｓ１１０のＮ）、Ｓ１１２の処理をスキップする。変動表示が変動終了タイミングに達したとき（Ｓ１１４のＹ）、表示中の変動を終了させて本図のＳ４０のフローを終了する（Ｓ１１６）。たとえばシート変動パターンによる変動の場合は、あらかじめ定められたマトリクスシートデータ２００の移動段数を消化したタイミングが変動終了タイミングである。Ｓ１１４において終了タイミングに達していないときは（Ｓ１１４のＮ）、Ｓ１１６の処理をスキップして本図のＳ４０のフローを終了する。
【００５８】
図１４は、図１０におけるＳ１６を詳細に示すフローチャートである。まず、大入賞口６６が開放済でなければ（Ｓ７０のＮ）、演出表示制御手段１３４が特別遊技の演出処理を開始し（Ｓ７２）、開閉制御手段１２４が大入賞口６６を開放する（Ｓ７４）。大入賞口６６が開放済であればＳ７２およびＳ７４をスキップする（Ｓ７０のＹ）。大入賞口６６が開放されてから所定の開放時間が経過した場合（Ｓ７６のＹ）、または、開放時間が経過していないものの（Ｓ７６のＮ）、大入賞口６６へ遊技球が９球以上入球した場合（Ｓ７８のＹ）、開閉制御手段１２４が大入賞口６６を閉鎖させる（Ｓ８０）。開放時間が経過しておらず（Ｓ７６のＮ）、大入賞口６６への入球数も９球以上に達していない場合は（Ｓ７８のＮ）、Ｓ８０以降の処理をスキップしてＳ１６のフローを終了する。
【００５９】
Ｓ８０における大入賞口６６の閉鎖後、単位遊技のラウンド数が１５に達していた場合（Ｓ８２のＹ）、演出表示制御手段１３４は特別遊技の演出処理を終了させ（Ｓ８４）、特別遊技制御手段１２０は特別遊技を終了させる（Ｓ８６）。ラウンド数が１５に達していなければ（Ｓ８２のＮ）、ラウンド数に１を加算してＳ１６のフローを終了する（Ｓ９０）。
【００６０】
以上、本発明を実施例をもとに説明した。この実施例はあくまで例示であり、それらの各構成要素や各処理プロセスの組合せにいろいろな変形例が可能なこと、またそうした変形例も本発明の範囲にあることは当業者に理解されるところである。
【００６１】
上記の実施例においては、主にいわゆる第１種ぱちんこ遊技機を例に説明したが、当然ながらそのような機種に限定する趣旨ではなく、いわゆる第３種など表示装置を有する他の機種のぱちんこ遊技機における図柄変動表示にて実現してもよい。
【００６２】
上記の実施例においては、マトリクスシートデータ２００を上方向に移動させる構成を説明したが、変形例においては下方向に移動させる構成や、横方向に移動させる構成であってもよい。また、上下左右の移動を混在させて、最終的な停止図柄の予測を困難にした構成であってもよい。
【００６３】
図４〜図９の例においては、複数種の図柄「２」および「３」で複数のリーチラインを形成する状態でマトリクスシートデータ２００を表示する構成を示した。たとえば、第１図柄列２０８ａ、第２図柄列２０８ｂ、第３図柄列２０８ｃのそれぞれに、同種の図柄が連続して含まれるような図柄列を用いて図柄変動を表示するような場合、図５〜７にいう第１停止図柄２０２ａ、第２停止図柄２０２ｂ、第３停止図柄２０２ｃ、第４停止図柄２０２ｄがすべて同種の図柄で揃った状態で複数のリーチラインを形成する構成としてもよい。この場合、上段および下段の２ラインと、第１図柄列２０８ａおよび第３図柄列２０８ｃの２ラインと、交差する斜めの２ラインとで、計６ラインのリーチラインが形成されることとなり、大当たりの可能性がより高いことを示唆することができる。この例では、一つの図柄列の中に二つの「７」が連続して含まれるような構成とすることにより、第１停止図柄２０２ａ、第２停止図柄２０２ｂ、第３停止図柄２０２ｃ、第４停止図柄２０２ｄのすべてが「７」で揃うような表示を可能にしてもよい。また、マトリクスシートデータ２００としては、第１停止図柄２０２ａ、第２停止図柄２０２ｂ、第３停止図柄２０２ｃ、第４停止図柄２０２ｄと同じ図柄である「７」が多く含まれるシートを用いて、大当たりの可能性がさらに高いことを示唆してもよい。
【図面の簡単な説明】
【００６４】
【図１】ぱちんこ遊技機の前面側における基本的な構造を示す図である。
【図２】ぱちんこ遊技機の背面側における基本的な構造を示す図である。
【図３】本実施例におけるぱちんこ遊技機の機能ブロックを示す図である。
【図４】マトリクスシートデータの構成を模式的に示す。
【図５】シート変動パターンにおける変動表示のリーチ場面を模式的に示す。
【図６】シート変動パターンにおいて確定した停止図柄以外の図柄を消去した状態を示す図である。
【図７】シート変動パターンにおいて確定した停止図柄の背後にマトリクスシートデータを重畳させて表示させる状態を示す図である。
【図８】シート変動パターンにおいて最終的にすべての停止図柄が確定した状態を示す図である。
【図９】シート変動パターンにおいてマトリクスシートデータに含まれる複数段のうち途中の段から表示開始させた場合を示す図である。
【図１０】ぱちんこ遊技機における基本的な動作過程を示すフローチャートである。
【図１１】図１０におけるＳ１４の通常遊技制御処理を詳細に示すフローチャートである。
【図１２】図１１におけるＳ３４の当否判定処理を詳細に示すフローチャートである。
【図１３】図１１におけるＳ４０の変動表示処理を詳細に示すフローチャートである。
【図１４】図１０におけるＳ１６を詳細に示すフローチャートである。
【符号の説明】
【００６５】
１０  ぱちんこ遊技機、  ５０  遊技盤、  ５２  遊技領域、  ６０  演出表示装置、  ６１  特別図柄表示装置、  ６２  始動口、  １００  遊技制御装置、  １１２  当否抽選手段、  １１４  図柄決定手段、  １３０  パターン記憶手段、  １３２  演出決定手段、  １３４  演出表示制御手段、  １９０  装飾図柄、  １９２  特別図柄、  ２００  マトリクスシートデータ。  
【図１】
2008161387.tif 000003
【図２】
2008161387.tif 000004
【図３】
2008161387.tif 000005
【図４】
2008161387.tif 000006
【図５】
2008161387.tif 000007
【図６】
2008161387.tif 000008
【図７】
2008161387.tif 000009
【図８】
2008161387.tif 000010
【図９】
2008161387.tif 000011
【図１０】
2008161387.tif 000012
【図１１】
2008161387.tif 000013
【図１２】
2008161387.tif 000014
【図１３】
2008161387.tif 000015
【図１４】
2008161387.tif 000016